(57)【特許請求の範囲】
【請求項１】
ファクシミリ通信にＩＰアドレスを利用するファクシミリ装置であって、
相手先装置に設定されているＩＰアドレスと前記ファクシミリ装置に設定されているＩＰアドレスとを利用して、前記相手先装置からファクシミリ送信されてきた画像データを受信する通信部と、
前記通信部が受信した前記画像データで示されるファクシミリ画像を印刷する印刷部と、
印刷されるべき前記ファクシミリ画像の前記画像データをファクシミリ送信してくる前記相手先装置に設定されているＩＰアドレスが予め登録されているＩＰアドレス登録部と、
前記相手先装置が前記ファクシミリ装置にファクシミリ送信してきたときに、前記相手先装置に設定されているＩＰアドレスを取得するＩＰアドレス取得部と、
前記相手先装置に設定されているファクシミリ番号を前記ファクシミリ装置に通知しないで、前記相手先装置が前記ファクシミリ装置にファクシミリ送信する自局番号非通知ファクシミリ送信がされてきたときに、前記ＩＰアドレス取得部によって取得されたＩＰアドレスが、前記ＩＰアドレス登録部に既に登録されている登録ＩＰアドレスであるか、又は、未だ登録されていない未登録ＩＰアドレスであるかを判断し、前記未登録ＩＰアドレスと判断した場合、前記自局番号非通知ファクシミリ送信で送られてきた前記画像データで示される前記ファクシミリ画像を、前記印刷部に印刷させない処理である印刷拒否処理をする印刷拒否処理部と、
前記未登録ＩＰアドレスと判断された場合、前記自局番号非通知ファクシミリ送信で送られてきた前記画像データで示される前記ファクシミリ画像を特定する特定画像、及び、前記未登録ＩＰアドレスを１件の印刷拒否情報として保存する印刷拒否情報保存部と、
前記印刷拒否情報保存部に保存されている前記印刷拒否情報を報知する報知部と、を備えるファクシミリ装置。
【請求項２】
前記印刷拒否処理部は、前記登録ＩＰアドレスと判断した場合、前記自局番号非通知ファクシミリ送信で送られてきた前記画像データで示される前記ファクシミリ画像を、前記印刷部に印刷させる処理をする請求項１に記載のファクシミリ装置。
【請求項３】
前記報知部は、前記印刷部に、前記印刷拒否情報保存部に保存されている複数の件数の前記印刷拒否情報について、２以上の件数の前記印刷拒否情報をまとめて１枚の用紙に印刷させることにより、前記印刷拒否情報を報知する請求項１又は２に記載のファクシミリ装置。
【請求項４】
前記報知部は、前記印刷拒否情報保存部に保存されている前記印刷拒否情報の件数が所定数になったとき、前記印刷部に前記印刷拒否情報を用紙に印刷させる請求項３に記載のファクシミリ装置。
【請求項５】
前記特定画像は、前記自局番号非通知ファクシミリ送信で送られてきた前記画像データで示される前記ファクシミリ画像の一部画像である請求項１〜４のいずれか一項に記載のファクシミリ装置。
【請求項６】
前記通信部は、前記未登録ＩＰアドレスと判断された場合、前記自局番号非通知ファクシミリ送信で送られてきた前記画像データのうち、前記ファクシミリ画像を構成する先頭の主走査ラインから最後の主走査ラインまでに相当するデータを受信せずに、前記一部画像を構成する前記先頭の主走査ラインから所定の順番の主走査ラインまでに相当するデータを受信する請求項５に記載のファクシミリ装置。
【請求項７】
前記報知部は、前記特定画像を含み、前記未登録ＩＰアドレスを前記ＩＰアドレス登録部に登録する登録画面の画面データを生成する画面データ生成部を含む請求項１〜６のいずれか一項に記載のファクシミリ装置。
【請求項８】
前記報知部は、さらに、
表示部と、
前記画面データで示される前記登録画面を前記表示部に表示させる表示制御部と、を含む請求項７に記載のファクシミリ装置。
【請求項９】
ファクシミリを自動で受信する自動受信モードと手動で受信する手動受信モードとを選択的に実行する受信モード実行部を備え、
前記印刷拒否処理部は、前記自動受信モードの場合に前記印刷拒否処理をし、前記手動受信モードの場合に前記印刷拒否処理をしない請求項１〜８のいずれか一項に記載のファクシミリ装置。
【発明の詳細な説明】
【技術分野】
【０００１】
本発明は、ファクシミリ通信にＩＰ(Internet Protocol)アドレスを利用するファクシミリ装置に関する。
【背景技術】
【０００２】
ファクシミリ装置は、原稿を読み取って、その原稿の画像データを生成し、画像データを相手先ファクシミリ装置にファクシミリ送信したり、相手先ファクシミリ装置からファクシミリ送信されてきた画像データを受信し、その画像データで示されるファクシミリ画像を印刷したりする装置である。
【０００３】
Ｇ３ファクシミリのようなアナログ電話回線を利用したファクシミリ通信が広く利用されているが、近年、インターネットやイントラネットの発展により、メールアドレスを利用したファクシミリ通信やＩＰアドレスを利用したファクシミリ通信が普及している。
【０００４】
ファクシミリ装置は、自局番号の通知機能を有する。自局番号の通知機能とは、ファクシミリ装置に、そのファクシミリ装置に設定されているファクシミリ番号(自局番号)を予め登録しておくことにより、そのファクシミリ装置がファクシミリ送信をしたときに、自局番号を相手先ファクシミリ装置に通知する機能である。
【０００５】
この機能は、逆に言えば、相手先ファクシミリ装置に、その相手先ファクシミリ装置に設定されているファクシミリ番号が予め登録されていることにより、相手先ファクシミリ装置からファクシミリ送信がされてきたときに、相手先ファクシミリ装置の自局番号が通知される機能である。
【０００６】
また、ファクシミリ装置は、受信拒否機能を有する。受信拒否機能とは、印刷したくないファクシミリ画像の画像データをファクシミリ送信してくる相手先ファクシミリ装置に設定されているファクシミリ番号を、ファクシミリ装置に予め登録しておくことにより、その相手先ファクシミリ装置からファクシミリ送信されてきた画像データの受信を拒否する機能である。受信拒否機能で画像データの受信が拒否されることにより、その画像データで示されるファクシミリ画像の印刷を防止できる。
【０００７】
予告なしに一方的に送られてくる広告宣伝を目的とするファクシミリ(ジャンクファックス)が問題となっている。
【０００８】
ジャンクファックスを送信してくる相手先ファクシミリ装置は、自局番号を通知すれば、その番号が受信拒否の対象とされるので、その相手先ファクシミリ装置には自局番号が意図的に登録されていない。このような相手先ファクシミリ装置は、自局番号を通知しないでファクシミリ送信をする。
【０００９】
そこで、受信拒否機能には、自局番号を通知しないでファクシミリ送信されてきた画像データに対して、受信を拒否する機能が含まれる。
【００１０】
ファクシミリ装置に自局番号を登録していなくても、ファクシミリ通信ができるので、自局番号の登録を忘れていることがある。
【００１１】
このような相手先ファクシミリ装置からファクシミリ送信がされてくる場合、自局番号を通知しないでファクシミリ送信されてくる画像データの受信を拒否する設定がファクシミリ装置にされていれば、ファクシミリ装置は画像データの受信を拒否する。すなわち、ジャンクファックスの受信を拒否するために、自局番号を通知しないでファクシミリ送信されてくる画像データの受信を拒否する設定をすることにより、本来、受信すべきファクシミリを受信できないことになる。
【００１２】
そこで、自局番号を通知しないでファクシミリ送信をしてきた相手先ファクシミリ装置に対して、自局番号を通知する設定を促すための報知をする技術が提案されている(例えば、特許文献１参照)。
【先行技術文献】
【特許文献】
【００１３】
【特許文献１】特開２００２−２４７２３６号公報
【発明の概要】
【発明が解決しようとする課題】
【００１４】
本発明は、ジャンクファックスの印刷を防止できるファクシミリ装置を提供することを目的とする。
【課題を解決するための手段】
【００１５】
上記目的を達成する本発明に係るファクシミリ装置は、ファクシミリ通信にＩＰアドレスを利用するファクシミリ装置であって、相手先装置に設定されているＩＰアドレスと前記ファクシミリ装置に設定されているＩＰアドレスとを利用して、前記相手先装置からファクシミリ送信されてきた画像データを受信する通信部と、前記通信部が受信した前記画像データで示されるファクシミリ画像を印刷する印刷部と、印刷されるべき前記ファクシミリ画像の前記画像データをファクシミリ送信してくる前記相手先装置に設定されているＩＰアドレスが予め登録されているＩＰアドレス登録部と、前記相手先装置が前記ファクシミリ装置にファクシミリ送信してきたときに、前記相手先装置に設定されているＩＰアドレスを取得するＩＰアドレス取得部と、前記相手先装置に設定されているファクシミリ番号を前記ファクシミリ装置に通知しないで、前記相手先装置が前記ファクシミリ装置にファクシミリ送信する自局番号非通知ファクシミリ送信がされてきたときに、前記ＩＰアドレス取得部によって取得されたＩＰアドレスが、前記ＩＰアドレス登録部に既に登録されている登録ＩＰアドレスであるか、又は、未だ登録されていない未登録ＩＰアドレスであるかを判断し、前記未登録ＩＰアドレスと判断した場合、前記自局番号非通知ファクシミリ送信で送られてきた前記画像データで示される前記ファクシミリ画像を、前記印刷部に印刷させない処理である印刷拒否処理をする印刷拒否処理部と、前記未登録ＩＰアドレスと判断された場合、前記自局番号非通知ファクシミリ送信で送られてきた前記画像データで示される前記ファクシミリ画像を特定する特定画像、及び、前記未登録ＩＰアドレスを１件の印刷拒否情報として保存する印刷拒否情報保存部と、前記印刷拒否情報保存部に保存されている前記印刷拒否情報を報知する報知部と、を備える。
【発明の効果】
【００１６】
本発明によれば、ジャンクファックスの印刷を防止できる。
【図面の簡単な説明】
【００１７】
【図１】第１実施形態に係る画像形成装置の内部構造の概略を説明する説明図である。
【図２】図１に示す画像形成装置の構成を示すブロック図である。
【図３】印刷拒否ファックスレポートの一例を説明する説明図である。
【図４】第２の印刷拒否処理を説明するフローチャートである。
【図５】第２実施形態に係る画像形成装置の構成を示すブロック図である。
【図６】表示部に表示されている登録画面の一例を説明する説明図である。
【発明を実施するための形態】
【００１８】
以下、図面に基づいて本発明の実施形態を詳細に説明する。図１は、第１実施形態に係る画像形成装置１(ファクシミリ装置の具体例)の内部構造の概略を説明する説明図である。画像形成装置１は、例えば、コピー、スキャナー及びファクシミリの機能を有するデジタル複合機に適用することができる。画像形成装置１は、装置本体１００、装置本体１００の上に配置された原稿読取部２００、原稿読取部２００の上に配置された原稿給送部３００及び装置本体１００の上部前面に配置された操作部４００を備える。
【００１９】
原稿給送部３００は、自動原稿送り装置として機能し、原稿載置部３０１に置かれた複数枚の原稿を連続的に原稿読取部２００で読み取ることができるように送ることができる。
【００２０】
原稿読取部２００は、露光ランプ等を搭載したキャリッジ２０１、ガラス等の透明部材により構成された原稿台２０３、不図示のＣＣＤ(Charge Coupled Device)センサー及び原稿読取スリット２０５を備える。原稿台２０３に載置された原稿を読み取る場合、キャリッジ２０１を原稿台２０３の長手方向に移動させながらＣＣＤセンサーにより原稿を読み取る。これに対して、原稿給送部３００から給送された原稿を読み取る場合、キャリッジ２０１を原稿読取スリット２０５と対向する位置に移動させて、原稿給送部３００から送られてきた原稿を、原稿読取スリット２０５を通してＣＣＤセンサーにより読み取る。ＣＣＤセンサーは読み取った原稿を画像データとして出力する。
【００２１】
装置本体１００は、用紙貯留部１０１、画像形成部１０３及び定着部１０５を備える。用紙貯留部１０１は、装置本体１００の最下部に配置されており、用紙の束を貯留することができる用紙トレイ１０７を備える。用紙トレイ１０７に貯留された用紙の束において、最上位の用紙がピックアップローラー１０９の駆動により、用紙搬送路１１１へ向けて送出される。用紙は、用紙搬送路１１１を通って、画像形成部１０３へ搬送される。
【００２２】
画像形成部１０３は、搬送されてきた用紙にトナー像を形成する。画像形成部１０３は、感光体ドラム１１３、露光部１１５、現像部１１７及び転写部１１９を備える。露光部１１５は、画像データ(原稿読取部２００から出力された画像データ、ファクシミリ受信の画像データ等)に対応して変調された光を生成し、一様に帯電された感光体ドラム１１３の周面に照射する。これにより、感光体ドラム１１３の周面には、画像データに対応する静電潜像が形成される。この状態で感光体ドラム１１３の周面に現像部１１７からトナーを供給することにより、周面には画像データに対応するトナー像が形成される。このトナー像は、転写部１１９によって先ほど説明した用紙貯留部１０１から搬送されてきた用紙に転写される。
【００２３】
トナー像が転写された用紙は、定着部１０５に送られる。定着部１０５において、トナー像と用紙に熱と圧力が加えられて、トナー像は用紙に定着される。用紙はスタックトレイ１２１又は排紙トレイ１２３に排紙される。
【００２４】
操作部４００は、操作キー部４０１と表示部４０３を備える。表示部４０３は、タッチパネル機能を有しており、ソフトキーを含む画面が表示される。ユーザーは、画面を見ながらソフトキーを操作することによって、コピー等の機能の実行に必要な設定等をする。
【００２５】
操作キー部４０１には、ハードキーからなる操作キーが設けられている。具体的には、スタートキー４０５、テンキー４０７、ストップキー４０９、リセットキー４１１、コピー、スキャナー及びファクシミリを切り換えるための機能切換キー４１３等が設けられている。
【００２６】
スタートキー４０５は、コピー、ファクシミリ送信等の動作を開始させるキーである。テンキー４０７は、コピー部数、ファクシミリ番号等の数字を入力するキーである。ストップキー４０９は、コピー動作等を途中で中止させるキーである。リセットキー４１１は、設定された内容を初期設定状態に戻すキーである。
【００２７】
機能切換キー４１３は、コピーキー及び送信キー等を備えており、コピー機能、送信機能等を相互に切り替えるキーである。コピーキーを操作すれば、コピーの初期画面が表示部４０３に表示される。送信キーを操作すれば、ファクシミリ送信の初期画面が表示部４０３に表示される。
【００２８】
図２は、図１に示す画像形成装置１の構成を示すブロック図である。画像形成装置１は、装置本体１００、原稿読取部２００、原稿給送部３００、操作部４００、制御部５００及び通信部６００がバスによって相互に接続された構成を有する。装置本体１００、原稿読取部２００、原稿給送部３００及び操作部４００に関しては既に説明したので、説明を省略する。
【００２９】
通信部６００は、ＩＰ(Internet Protocol)ネットワーク５を介して不特定多数の相手先装置３と接続されている。相手先装置３は、ファクシミリ機能を有する装置であり、例えば、ファクシミリ機、ファクシミリ機能を有する複合機、ファクシミリ機能を有するパソコンである。
【００３０】
通信部６００は、ＳＩＰ(Session Initiation Protocol)及びＩＰネットワーク５を用いて、相手先装置３とファクシミリ通信を実行する。このように、画像形成装置１は、ファクシミリ通信にＩＰ(Internet Protocol)アドレスを利用する。すなわち、通信部６００は、相手先装置３に設定されているＩＰアドレスと画像形成装置１に設定されているＩＰアドレスとを利用して、相手先装置３からファクシミリ送信されてきた画像データを受信したり、相手先装置３に画像データをファクシミリ送信したりする。
【００３１】
制御部５００は、ＣＰＵ(Central Processing Unit)、ＲＯＭ(Read Only Memory)、ＲＡＭ(Random Access Memory)及び画像メモリー等を備える。ＣＰＵは、画像形成装置１を動作させるために必要な制御を、装置本体１００等の画像形成装置１の上記構成要素に対して実行する。ＲＯＭは、画像形成装置１の動作の制御に必要なソフトウェアを記憶している。ＲＡＭは、ソフトウェアの実行時に発生するデータの一時的な記憶及びアプリケーションソフトの記憶等に利用される。画像メモリーは、画像データ(原稿読取部２００から出力された画像データ、ファクシミリ受信の画像データ等)を一時的に記憶する。
【００３２】
制御部５００は、機能ブロックとして、印刷制御部５０１、受信モード実行部５０５、ＩＰアドレス取得部５０７、ＩＰアドレス登録部５０９、印刷拒否設定部５１１、印刷拒否処理部５１３、印刷拒否情報保存部５１５、及び、報知部５１７を備える。
【００３３】
印刷制御部５０１は、装置本体１００を制御することにより、画像データで示される画像を用紙に印刷させる処理を装置本体１００に実行させる。印刷制御部５０１と装置本体１００とにより、印刷部５０３が構成される。印刷部５０３は、通信部６００が受信した画像データで示されるファクシミリ画像を印刷する。
【００３４】
受信モード実行部５０５は、自動受信モードと手動受信モードとを選択的に実行する。自動受信モードは、相手先装置３が画像形成装置１にファクシミリ送信をしてきたとき、画像形成装置１の通信部６００が、ファクシミリ送信で送られてきた画像データを自動で受信するモードである。手動受信モードは、画像形成装置１のユーザーが操作部４００を操作することにより、画像形成装置１の通信部６００が、相手先装置３からファクシミリ送信で送られてきた画像データを受信するモードである。
【００３５】
受信モード実行部５０５は、ユーザーが、操作部４００を操作して、ファクシミリの受信モードを、自動受信モードに設定すれば、自動受信モードを実行し、手動受信モードに設定すれば、手動受信モードを実行する。
【００３６】
ＩＰアドレス取得部５０７は、通信部６００と相手先装置３との間で、ＳＩＰ及びＩＰネットワーク５を用いて、ファクシミリ通信がされるときに、相手先装置３に設定されているＩＰアドレスを取得する。従って、ＩＰアドレス取得部５０７は、相手先装置３が画像形成装置１にファクシミリ送信をしてきたときに、相手先装置３に設定されているＩＰアドレスを取得する。
【００３７】
ＩＰアドレス登録部５０９は、画像形成装置１で印刷すべきファクシミリ画像の画像データをファクシミリ送信してくる相手先装置３に設定されているＩＰアドレスを予め登録している。
【００３８】
印刷拒否設定部５１１には、画像形成装置１のユーザーが操作部４００を操作することにより、第１の印刷拒否設定や第２の印刷拒否設定がされる。
【００３９】
第１の印刷拒否設定は、画像形成装置１のユーザーが操作部４００を操作して、受信したくない画像データをファクシミリ送信してくる相手先装置３(すなわち、ファクシミリを受信したくない相手先装置３)に設定されているファクシミリ番号を入力することにより、その相手先装置３からファクシミリ送信で送られてくる画像データに対して、通信部６００に受信を拒否させる設定である。画像データは、通信部６００で受信が拒否されるので、その画像データで示されるファクシミリ画像の印刷が拒否されることになる。
【００４０】
第２の印刷拒否設定は、相手先装置３に設定されているファクシミリ番号を画像形成装置１に通知しないで、相手先装置３が画像形成装置１にファクシミリ送信(以下、自局番号非通知ファクシミリ送信)をすることにより、相手先装置３から送られてくる画像データに対して、通信部６００に画像データの一部又は全部を受信させるが、印刷部５０３にその画像データで示されるファクシミリ画像の印刷をさせない設定である。
【００４１】
画像データの一部又は全部を通信部６００に受信させるのは、特定画像１５(図３)を生成するためである。特定画像１５とは、自局番号非通知ファクシミリ送信で送られてきた画像データで示されるファクシミリ画像を特定する画像である。ファクシミリ画像の縮小画像や一部画像を特定画像１５とすることができる。
【００４２】
ファクシミリ画像の縮小画像を特定画像１５とする場合、通信部６００は、自局番号非通知ファクシミリ送信で送られてきた画像データの全部を受信する。ファクシミリ画像の一部画像とは、例えば、ファクシミリ画像の先頭の主走査ラインから所定の順番の主走査ラインまでの主走査ラインで構成される画像である。このような一部画像を特定画像１５とする場合、通信部６００は、画像データの一部を受信する。
【００４３】
印刷拒否処理部５１３は、第１の印刷拒否設定がされている場合、自動受信モードのときに第１の印刷拒否処理をするが、手動受信モードのときに第１の印刷拒否処理をしない。詳しく説明すると、印刷拒否処理部５１３は、自動受信モードのときに、画像形成装置１にファクシミリ送信をしてくる相手先装置３に設定されているファクシミリ番号が、印刷拒否設定部５１１に設定されているか否かを判断する。そのファクシミリ番号が印刷拒否設定部５１１に設定されていれば、印刷拒否処理部５１３は、通信部６００にそのファクシミリ送信で送られてきた画像データの受信を拒否させる。一方、そのファクシミリ番号が印刷拒否設定部５１１に設定されていなければ、印刷拒否処理部５１３は、通信部６００にそのファクシミリ送信で送られてきた画像データを受信させる。
【００４４】
印刷拒否処理部５１３は、第２の印刷拒否設定がされている場合、自動受信モードのときに、第２の印刷拒否処理をするが、手動受信モードのときに第２の印刷拒否処理をしない。詳しく説明すると、先ほど説明したように、ＩＰアドレス取得部５０７は、相手先装置３が画像形成装置１にファクシミリ送信をしてきたときに、相手先装置３に設定されているＩＰアドレスを取得する。印刷拒否処理部５１３は、自動受信モードにおいて、上述した自局番号非通知ファクシミリ送信がされてきたときに、ＩＰアドレス取得部５０７によって取得されたＩＰアドレスが、ＩＰアドレス登録部５０９に既に登録されている登録ＩＰアドレスであるか、又は、未だ登録されていない未登録ＩＰアドレスであるかを判断する。
【００４５】
印刷拒否処理部５１３は、そのＩＰアドレスが登録ＩＰアドレスと判断した場合、自局番号非通知ファクシミリ送信で送られてきた画像データで示されるファクシミリ画像を、印刷部５０３に印刷させる処理をする。
【００４６】
印刷拒否処理部５１３は、そのＩＰアドレスが未登録ＩＰアドレスと判断した場合、自局番号非通知ファクシミリ送信で送られてきた画像データで示される前記ファクシミリ画像を、印刷部５０３に印刷させない処理をする。
【００４７】
そして、未登録ＩＰアドレスと判断された場合、印刷拒否情報保存部５１５は、自局番号非通知ファクシミリ送信で送られてきた画像データで示されるファクシミリ画像を特定する特定画像１５、及び、その未登録ＩＰアドレスを１件の印刷拒否情報１３(図３)として保存する。特定画像１５は、上述したように、ファクシミリ画像の一部画像でもよいし、縮小画像でもよい。
【００４８】
印刷拒否情報保存部５１５に保存されている印刷拒否情報１３は、報知部５１７によってユーザーに報知される。すなわち、報知部５１７は、印刷部５０３に、印刷拒否情報保存部５１５に保存されている複数の件数の印刷拒否情報１３について、２以上の件数の印刷拒否情報１３をまとめて１枚の用紙に印刷させることにより、印刷拒否情報１３をユーザーに報知する。２以上の件数としたのは、１件の印刷拒否情報１３を１枚の用紙に印刷すれば、ジャンクファックスを受信して印刷する場合と比べて、用紙の消費量は同じであり、用紙の消費量を減らすことができないからである。
【００４９】
具体的に説明すると、報知部５１７は、印刷拒否情報保存部５１５に保存されている印刷拒否情報１３の件数が所定数(例えば、５)に到達した場合、印刷部５０３に、その所定数の印刷拒否情報１３をまとめて１枚の用紙に印刷させる。この印刷物を、印刷拒否ファックスレポート１１という。図３は、印刷拒否ファックスレポート１１の一例を説明する説明図である。所定数を５で説明する。
【００５０】
印刷拒否ファックスレポート１１には、５件の印刷拒否情報１３が印刷されている。１件の印刷拒否情報１３は、特定画像１５、未登録ＩＰアドレス１７及び受信時刻１９が印刷されている。特定画像１５は、自局番号非通知ファクミリ送信で送られてきた画像データで示されるファクシミリ画像の一部画像である。未登録ＩＰアドレス１７は、その自局番号非通知ファクミリ送信をしてきた相手先装置３に設定されてＩＰアドレスである。受信時刻１９は、画像形成装置１がその自局番号非通知ファクミリ送信を受信した時刻(日、時間、分)である。
【００５１】
特定画像１５は、自局番号非通知ファクシミリ送信で送られてきた画像データで示されるファクシミリ画像の先頭の主走査ラインから所定の順番の主走査ラインまでの主走査ラインで構成される画像である。通信部６００は、自局番号非通知ファクシミリ送信がされてきた場合、自局番号非通知ファクシミリ送信で送られてきた画像データのうち、ファクシミリ画像を構成する先頭の主走査ラインから最後の主走査ラインまでに相当するデータを受信せずに、一部画像(特定画像１５)を構成する先頭の主走査ラインから所定の順番の主走査ラインまでに相当するデータを受信する。これにより、通信部６００の処理の負担を減らすことできる。
【００５２】
第２の印刷拒否処理についてさらに詳しく説明する。図４は、第２の印刷拒否処理を説明するフローチャートである。印刷拒否設定部５１１には、自局番号非通知ファクシミリ送信で送られてきた画像データの印刷をしない設定(第２の印刷拒否設定)がされている(ステップＳ１)。印刷拒否設定部５１１に、第１の印刷拒否設定がされていても、されてなくてもよい。
【００５３】
受信モード実行部５０５は、自動受信モードを実行している(ステップＳ２)。ファクシミリ送信で送られてきた画像データの受信には、ＳＩＰ及びＩＰネットワーク５が利用される。
【００５４】
通信部６００は、ＩＮＶＩＴＥ要求が送られてきたか否かを判断する(ステップＳ３)。
【００５５】
通信部６００が、ＩＮＶＩＴＥ要求が送られてきたと判断しないとき(ステップＳ３でＮｏ)、ステップＳ３が繰り返される。
【００５６】
通信部６００が、ＩＮＶＩＴＥ要求が送られてきたと判断したとき(ステップＳ３でＹｅｓ)、通信部６００は、ＩＮＶＩＴＥ要求を受信する。ＩＰアドレス取得部５０７は、ＩＮＶＩＴＥ要求に含まれる相手先装置３に設定されているＩＰアドレスを取得する(ステップＳ４)。
【００５７】
通信部６００は、ＩＮＶＩＴＥ要求の受信後、通信部６００と相手先装置３との間でＳＩＰによるセッションを確立させる。
【００５８】
ＳＩＰによるセッションが確立された後、印刷拒否処理部５１３は、相手先装置３からのファクシミリ送信が自局番号非通知ファクシミリ送信か否かを判断する(ステップＳ５)。自局番号非通知ファクシミリ送信とは、相手先装置３に設定されているファクシミリ番号を画像形成装置１に通知しないで、相手先装置３が、画像形成装置１にファクシミリ送信することである。
【００５９】
印刷拒否処理部５１３は、自局番号非通知ファクミリ送信と判断した場合(ステップＳ５でＹｅｓ)、ステップＳ４でＩＰアドレス取得部５０７によって取得されたＩＰアドレスが、ＩＰアドレス登録部５０９に既に登録されている登録ＩＰアドレスか否かを判断する(ステップＳ６)。
【００６０】
印刷拒否処理部５１３が、ステップＳ４で取得されたＩＰアドレスを、登録ＩＰアドレスと判断した場合(ステップＳ６でＹｅｓ)、通信部６００は、ステップＳ３のＩＮＶＩＴＥ要求に含まれるＩＰアドレスが設定されている相手先装置３からファクシミリ送信で送られてきた画像データを受信する(ステップＳ７)。印刷拒否処理部５１３は、ステップＳ７で受信された画像データで示されるファクシミリ画像を印刷部５０３に印刷させる(ステップＳ８)。
【００６１】
印刷拒否処理部５１３が、ステップＴ４で取得されたＩＰアドレスを、登録ＩＰアドレスと判断しない場合(ステップＳ６でＮｏ)、すなわち、未登録ＩＰアドレスと判断した場合、通信部６００は、ステップＳ３のＩＮＶＩＴＥ要求に含まれるＩＰアドレスが設定されている相手先装置３からファクシミリ送信で送られてきた画像データのうち、ファクシミリ画像を構成する先頭の主走査ラインから最後の主走査ラインまでに相当するデータを受信せずに、特定画像１５を構成する先頭の主走査ラインから所定の順番の主走査ラインまでに相当するデータを受信する(ステップＳ９)。
【００６２】
印刷拒否情報保存部５１５は、ステップＳ９で受信された画像データで示される特定画像１５及びステップＳ４で取得されたＩＰアドレス(未登録ＩＰアドレス)を、１件の印刷拒否情報１３として保存する(ステップＳ１０)。
【００６３】
なお、印刷拒否処理部５１３が、自局番号非通知ファクシミリ送信と判断しない場合(ステップＳ５でＮｏ)、すなわち、相手先装置３に設定されているファクシミリ番号を画像形成装置１に通知して、相手先装置３が画像形成装置１にファクシミリ送信してきた場合、ステップＳ７へ進む。
【００６４】
印刷拒否情報保存部５１５に保存されている印刷拒否情報１３が、所定数(例えば、５)に到達すれば、印刷部５０３は、図３に示す印刷拒否ファックスレポート１１を出力する。ユーザーが図２の操作部４００を操作して、印刷拒否ファックスレポート１１を出力する命令を入力することにより、印刷部５０３に印刷拒否ファックスレポート１１を出力させることもできる。この場合、印刷拒否ファックスレポート１１を出力する命令が入力した時点で、印刷拒否情報保存部５１５に保存されている件数の印刷拒否情報１３が印刷拒否ファックスレポート１１として出力される。
【００６５】
ユーザーは、５件の印刷拒否情報１３のそれぞれについて、印刷されなかったファクシミリ画像が、ジャンクファックスか否かを判断する。特定画像１５は、ファクシミリ画像の一部画像なので、ユーザーは、特定画像１５を見ることにより、その判断をすることができる。
【００６６】
印刷されなかったファクシミリ画像が、ジャンクファックスでないと判断、すなわち、印刷すべきファクシミリ画像と判断した場合、次回以降、その相手先装置３からのファクシミリ送信が、自局番号非通知ファクシミリ送信であっても、ファクシミリ画像を印刷できるようにする必要がある。
【００６７】
そこで、ユーザーが、ジャンクファックスでないファクシミリ画像の印刷拒否情報１３に含まれるＩＰアドレス(未登録ＩＰアドレス１７)を、操作部４００を操作して入力する。例えば、３件目の印刷拒否情報１３が、ジャンクファックスでないファクシミリ画像の印刷拒否情報１３と判断した場合、３件目の印刷拒否情報１３に含まれる未登録ＩＰアドレス１７を入力する。
【００６８】
これにより、ＩＰアドレス登録部５０９は、入力されたＩＰアドレスを登録する。従って、次回以降、そのＩＰアドレスが設定されている相手先装置３が自局番号非通知ファクシミリ送信をしてきた場合、画像形成装置１は、ファクシミリ画像を印刷する。
【００６９】
第１実施形態の主な効果を説明する。ＳＩＰを利用したファクシミリ通信のように、ファクシミリ通信にＩＰアドレスを利用するファクシミリ通信では、相手先装置３がファクシミリ送信をしてくるときに、相手先装置３に設定されているＩＰアドレスが通知される。第１実施形態に係る画像形成装置１は、それを利用して、自局番号非通知ファクシミリ送信がされてきた場合に、ジャンクファックスか否かを判断する。
【００７０】
詳しく説明すると、図４を参照して、印刷拒否処理部５１３は、相手先装置３が自局番号非通知ファクシミリ送信をしてきた場合(ステップＳ５でＹｅｓ)、相手先装置３に設定されているＩＰアドレスがＩＰアドレス登録部５０９に既に登録されている登録ＩＰアドレスか否かを判断する(ステップＳ６)。登録ＩＰアドレスと判断しない場合(ステップＳ６でＮｏ)、印刷拒否処理部５１３は、ステップＳ５において自局番号非通知ファクシミリ送信で送られてきた画像データで示されるファクシミリ画像を、印刷部５０３に印刷させないようにする(ステップＳ９，Ｓ１０)。これに対して、登録ＩＰアドレスと判断した場合(ステップＳ６)、印刷拒否処理部５１３は、ステップＳ５において自局番号非通知ファクシミリ送信で送られてきた画像データを通信部６００に受信させ(ステップＳ７)、受信された画像データで示されるファクシミリ画像を印刷部５０３に印刷させる(ステップＳ８)。
【００７１】
従って、印刷拒否設定部５１１に自局番号非通知ファクシミリ送信で送られてきた画像データで示されるファクシミリ画像の印刷を拒否する設定(第２の印刷拒否設定)がされている場合でも、ジャンクファックスではなく、画像形成装置１で印刷すべきファクシミリ画像を送ってくる相手先装置３に設定されているＩＰアドレスをＩＰアドレス登録部５０９に予め登録しておけば、その相手先装置３のユーザーが自局番号の登録を忘れていても、画像形成装置１はその相手先装置３から自局番号非通知ファクシミリ送信で送られてきた画像データを受信し、その画像データで示されるファクシミリ画像を印刷する。よって、第１実施形態に係る画像形成装置１によれば、ジャンクファックスの印刷を防止しつつ、自局番号の登録を忘れている相手先装置３からファクシミリ送信されてきた画像データで示されるファクシミリ画像を印刷することができる。
【００７２】
また、第１実施形態によれば、印刷拒否処理部５１３は、自動受信モードの場合(図４のステップＳ２)に、自局番号非通知ファクシミリ送信で送られてきた画像データで示されるファクシミリ画像の印刷を拒否する処理(第２の印刷拒否処理)をし、手動受信モードの場合にその処理をしない。手動受信モードの場合、画像形成装置１のユーザーが、ファクシミリを受信する操作をしないことにより、ジャンクファックスの受信を拒否できるからである。
【００７３】
さらに、第１実施形態によれば、特定画像１５と未登録ＩＰアドレスとを含む印刷拒否情報１３を、図３に示すような印刷拒否ファックスレポート１１によって、ユーザーに報知する。表示部４０３(図１)の寸法が小さい場合や表示部４０３に文字を表示できるが、画像を表示できない場合、特定画像１５を表示部４０３に表示できない。このような場合に、第１実施形態は特に有効である。
【００７４】
次に、第２実施形態について、第１実施形態との相違を中心に説明する。第１実施形態では、印刷拒否ファックスレポート１１を印刷することにより、印刷拒否情報１３をユーザーに報知する。第２実施形態では、印刷拒否情報１３を表示部４０３に表示させることにより、印刷拒否情報１３をユーザーに報知する。
【００７５】
図５は、第２実施形態に係る画像形成装置７の構成を示すブロック図である。図２に示す第１実施形態に係る画像形成装置１との相違は、報知部５１７が画面データ生成部５１９及び表示制御部５２１を含む点である。第２実施形態では、画面データ生成部５１９、表示制御部５２１及び表示部４０３により、報知部５１７が構成される。報知部５１７は、印刷拒否情報保存部５１５に保存されている印刷拒否情報１３を、ユーザーに報知する。
【００７６】
制御部５００は、機能ブロックとして、画面データ生成部５１９及び表示制御部５２１を備える。画面データ生成部５１９は、未登録ＩＰアドレスをＩＰアドレス登録部５０９に登録する登録画面２１(図６)の画面データを生成する。登録画面２１には、特定画像１５が含まれる。
【００７７】
画面データ生成部５１９は、ユーザーが操作部４００を操作して、登録画面２１を表示させる命令を入力したとき、印刷拒否情報保存部５１５に保存されている印刷拒否情報１３を基にして登録画面２１の画面データを生成する。
【００７８】
表示制御部５２１は、画面データ生成部５１９で生成された画面データで示される登録画面２１を表示部４０３に表示させる。
【００７９】
図６は、表示部４０３に表示されている登録画面２１の一例を説明する説明図である。登録画面２１には、１件の印刷拒否情報１３が表示される。１件の印刷拒否情報１３には、特定画像１５、未登録ＩＰアドレス１７及び受信時刻１９が含まれる。これらについては、図３に示す印刷拒否ファックスレポート１１で説明している。
【００８０】
登録画面２１には、ソフトキー２３，２５が含まれる。これらのキーは、未登録ＩＰアドレス１７をＩＰアドレス登録部５０９に登録するか否かに用いられる。詳しく説明すると、ユーザーは、登録画面２１に含まれる印刷拒否情報１３について、印刷されなかったファクシミリ画像が、ジャンクファックスか否かを判断する。特定画像１５は、ファクシミリ画像の一部画像なので、ユーザーは、特定画像１５を見ることにより、その判断をすることができる。
【００８１】
印刷されなかったファクシミリ画像が、ジャンクファックスでないと判断、すなわち、印刷すべきファクシミリ画像と判断した場合、次回以降、その相手先装置３からのファクシミリ送信が、自局番号非通知ファクシミリ送信であっても、ファクシミリ画像を印刷できるようにする必要がある。
【００８２】
ユーザーは、登録画面２１に含まれるソフトキー２３を押下する。これにより、ＩＰアドレス登録部５０９は、ジャンクファックスでないファクシミリ画像の印刷拒否情報１３に含まれる未登録ＩＰアドレス１７を登録する。従って、次回以降、そのＩＰアドレスが設定されている相手先装置３が自局番号非通知ファクシミリ送信をしてきても、画像形成装置１は、ファクシミリ画像を印刷する。
【００８３】
これに対して、印刷されなかったファクシミリ画像が、ジャンクファックスであると判断した場合、次回以降も、その相手先装置３からファクシミリ送信で送られてきた画像データで示されるファクシミリ画像の印刷をしないようにする必要がある。
【００８４】
ユーザーは、登録画面２１に含まれるソフトキー２５を押下する。これにより、ＩＰアドレス登録部５０９は、ジャンクファックスであるファクシミリ画像の印刷拒否情報１３に含まれる未登録ＩＰアドレス１７を、ＩＰアドレス登録部５０９に登録しない。従って、次回以降、そのＩＰアドレスが設定されている相手先装置３が自局番号非通知ファクシミリ送信をしてきた場合、自局番号非通知ファクシミリ送信として、ファクシミリ画像の印刷が拒否される。
【００８５】
ソフトキー２３，２５が押下されると、印刷拒否情報保存部５１５は、その登録画面２１に表示されている印刷拒否情報１３を、印刷拒否情報保存部５１５から削除する処理をする。これにより、次回、ユーザーが操作部４００を操作して登録画面２１を表示させる命令を入力した場合、その印刷拒否情報１３に関する登録画面２１は表示部４０３に表示されない。
【００８６】
登録画面２１には、ソフトキー２７，２９が含まれる。ソフトキー２７が押下されると、表示制御部５２１は、次の件の印刷拒否情報１３に関する登録画面２１を表示部４０３に表示させる。これに対して、ソフトキー２９が押下されると、表示制御部５２１は、前の件の印刷拒否情報１３に関する登録画面２１を表示部４０３に表示させる。
【００８７】
第２実施形態では、登録画面２１を画像形成装置１に備えられる表示部４０３に表示させているが、画像形成装置１を操作するパソコンに登録画面２１を表示させてもよい。これによれば、パソコンを利用して、上述した、印刷されなかったファクシミリ画像が、ジャンクファックスか否かの判断や、未登録ＩＰアドレスをＩＰアドレス登録部５０９に登録する操作をすることができる。この場合、画面データ生成部５１９で生成された登録画面２１を示す画面データは、通信部６００によって、そのパソコンに送られる。
【００８８】
第１実施形態と第２実施形態との組み合わせも可能である。すなわち、ユーザーが操作部４００を操作することにより、印刷拒否ファックスレポート１１を出力すること、又は、表示部４０３に登録画面２１を表示させることを選択できるようにすることもできる。
【符号の説明】
【００８９】
１  画像形成装置(ファクシミリ装置)
３  相手先装置
７  画像形成装置(ファクシミリ装置)
１１  印刷拒否ファックスレポート
１３  印刷拒否情報
１５  特定画像
２１  登録画面
５０１  印刷制御部
５０３  印刷部
５０５  受信モード実行部
５０７  ＩＰアドレス取得部
５０９  ＩＰアドレス登録部
５１１  印刷拒否設定部
５１３  印刷拒否処理部
５１５  印刷拒否情報保存部
５１７  報知部
５１９  画面データ生成部
５２１  表示制御部
６００  通信部
【図１】
0005907934.tif 000002
【図２】
0005907934.tif 000003
【図３】
0005907934.tif 000004
【図４】
0005907934.tif 000005
【図５】
0005907934.tif 000006
【図６】
0005907934.tif 000007